Podtech/llm-jp-corpus-v4-ja_patent huggingface dataset:
(57)【特許請求の範囲】
【請求項１】
容器の口部の外側から嵌まる外嵌合部を有するとともに注出口が設けられた嵌合部と、前記嵌合部の上端にヒンジを介して一体的に設けられた開閉自在な蓋とから成り、前記嵌合部を容器の口部に打栓によって強制嵌合することにより、容器に取り付けたままで使用されるようになっており、且つ、前記嵌合部には、当該嵌合部を容器の口部から強引に引き離すための指掛け部が一体に設けられているキャップであって、
前記指掛け部は、前記ヒンジの下方を除いて嵌合部を囲うようにリング状に形成されており、前記指掛け部の両端を嵌合部に一体に連結している、
合成樹脂製キャップ。
【発明の詳細な説明】
【０００１】
【発明の属する技術分野】
本発明は、打栓によって容器の口部に嵌着させるようにした合成樹脂製のキャップに関するものである。
【０００２】
【従来の技術】
打栓によって容器の口部に強制嵌合させるタイプのキャップは、バージン性を確実に保証できるという利点や、注出口の形状を自由に設定できる等の利点がある一方で、容器から分離することが困難であるため、使用後において容器をリサイクルしたり廃棄処理したりするに際して、キャップと容器とを分別し難いという問題があった（特にガラス瓶の場合、リサイクルのためには必ずキャップを取り外さなければならないため、分別の問題が顕著になる。）。
【０００３】
そこで、本願出願人は、特開平 7− 61454号において、キャップのうち容器の口部に嵌着する嵌合部に、当該嵌合部を引き裂くための薄肉状の弱化部と撮み片とを設けることを提案した。
【０００４】
【発明が解決しようとする課題】
前記公報の構成によると、撮み片を指先で摘んでキャップの嵌合部を弱化部に沿って引き裂くことにより、使用後にキャップを容器から簡単に取り外すことができる。しかし、この先行技術のようにキャップに弱化部を設けると、それだけ容器の口部に対する嵌合強度が低くなると共に、打栓工程で弱化部が破断してしまう虞があるという問題があった。
【０００５】
本発明は、容器の口部への嵌合強度を低下させることなく、キャップを容器から簡単に取り外しできるようにすることを目的とするものである。
【０００６】
【課題を解決するための手段】
本発明は、容器の口部の外側から嵌まる外嵌合部を有するとともに注出口が設けられた嵌合部と、前記嵌合部の上端にヒンジを介して一体的に設けられた開閉自在な蓋とから成り、前記嵌合部を容器の口部に打栓によって強制嵌合することにより、容器に取り付けたままで使用されるようになっており、且つ、前記嵌合部には、当該嵌合部を容器の口部から強引に引き離すための指掛け部が一体に設けられているキャップにおいて、前記指掛け部は、前記ヒンジの下方を除いて嵌合部を囲うようにリング状に形成されており、前記指掛け部の両端を嵌合部に一体に連結している。
【０００７】
【０００８】
【作用・効果】
本発明においては、リング状の指掛け部に指を掛けて強く引っ張ることにより、キャップを容器の口部から引き離すもので、使用後に簡単に容器口部から簡単に取り外すことができる。
【０００９】
【発明の実施形態】
次に、本発明の実施形態を図面に基づいて説明する。
【００１０】
図１のうち、(A)は縦断面図、 (B)は一部破断平面図である。本実施形態で使用する容器１は合成樹脂製である。
【００１１】
キャップ５は、容器１の口部２に外側から嵌まる外嵌合部６と、容器１の口部２に内側から嵌合する内嵌合部７と、両嵌合部6,7の上端に連設した注出口８とを備えており、注出口８は底板９で塞がれている。底板９には、閉ループ状のスコアー（薄肉部）10が形成されており、スコアー10で囲われた部分の端部に開封用のプルタブ11を一体に設けている。なお、底板９は必ずしも必要はなく、例えばアルミ箔等のシール片を注出口８に溶着するなどして封止しても良い。
【００１２】
キャップ５の両嵌合部6,7 には、係合部の一例として環状突起12が形成されている一方、容器１の口部２の内外両面には、前記係合部12が嵌合する係止部の一例として環状溝13が形成されており、キャップ５を、図示しないポンチで打栓し、キャップ５の両嵌合部6,7 をその弾性に抗しての変形によって容器１の口部２に強制的に嵌合させることにより、容器１の密封が行われる。
【００１３】
そして、キャップ５における外嵌合部６の外側に、リング状の指掛け部14を配置している。このリング状の指掛け部14の両端は、引き千切り不能な連結部15を介して外嵌合部６に一体に接続されており、更に、円周方向に沿った複数箇所が、引き千切り可能なブリッジ部16を介して外嵌合部６に繋がれている。図面では示していないが、指掛け部14のうち連結部15と反対側の部位に、指掛け部14を起こすための指掛け片を設けても良い。
【００１４】
内容物を消費し切って廃棄した後は、指掛け部14を起こしてブリッジ部16を引き千切ってから、指掛け部14に指を掛けて強く引っ張ることにより、内外嵌合部6,7と容器１の口部２との嵌合を解除して、キャップ５を容器１から簡単に取り外すことができる。この場合、指掛け部14が大径であることにより、当該指掛け部14に数本の指を掛けて強く引っ張ることができるため、キャップ５を簡単に取り外すことができる。
【００１５】
実施形態のようにブリッジ部16を介して指掛け部14がキャップ５に連設されている、ブリッジ部16の引き千切りの有無によって流通段階での不正行為の有無を確認できる利点がある。なお、キャップ５を取り外すに当たっては、例えば柱のような適当な固定部材に上向きの鉤を設けて、この鉤に指掛け部14を引っ掛けて、両手又は片手で容器１を掴んで下方に引き下ろしても良い。
【００１６】
さらに、外嵌合部６の上端に、三点支持式のヒンジ17を介して開閉自在な蓋18を一体に設けている。底板９のスコアー10は平面視円形に形成している。さて、このタイプのキャップ５は、蓋18を 180度開いた状態で成形されるものであり、成形した後の型抜きの容易性の点から、外嵌合部６の外面のうちヒンジ17の下方の部位には突起を設けることができない。
【００１７】
そこで、分図 (B)に示すように、指掛け部14は、ヒンジ17の下方を除いて外嵌合部６を囲うように配置されており、指掛け部14の両端が連結部15を介して外嵌合部６に一体に連結されている。
【００１８】
【００１９】
【００２０】
【００２１】
≪その他≫
以上、本発明の実施形態を説明したが、本発明は更に種々の態様に具体化できる。
【００２２】
例えば、キャップの取り外しに際してキャップの外嵌合部が破断しても良いのであり、嵌合部の上下寸法が直径に比べて大きい場合、嵌合部の下端部に、破断のきっかけとなる切欠きや薄肉部などを形成しておいても良い（これらの切欠きや薄肉部等は、打栓時に張力が全く又は殆どかからない状態で形成しておくのが望ましい。）。
【００２３】
【図面の簡単な説明】
【図１】本願発明に係る実施形態を示す図で、 (A)は断面図、 (B)は一部破断平面図である。
【符号の説明】
２  容器の口部
５  キャップ
６  外嵌合部
７  内嵌合部
14  指掛け部
15  連結部
16  ブリッジ部
【図１】
0004401467.tif 000002
(57)【特許請求の範囲】
【請求項１】
ポケットの開口部にファスナーを取付けるとともに、前記ファスナーを構成するスライダーに伸縮性を有する紐の一端を固定し、前記紐の他端は、ポケットの前記ファスナーを開口したときにスライダーが位置する側の近傍に固定したポケット。
【発明の詳細な説明】
【０００１】
【発明の属する技術分野】
本発明は、開口部にファスナーを取付けたポケットに関するものである。
【０００２】
【従来の技術】
従来から、開口部にファスナーを取付けたポケットは、特開平９−７８３２２号、実開平７−３３９０５号、実用新案登録第３０４８８５９号や同第３０６２４３９号のように公知になっている。
【０００３】
このように、ポケットの開口部にファスナーを取付けるのは、ポケットの中に入れた物が、例えば屈むとか飛び上がるとか等の体の動きによっても落ちないようにするためである。
特に、スキーやスノーボードのようなスポーツをするときに着用する被服は、お金、リフト券、鍵等がポケットから落ちるのを防ぐために、ファスナーを取付けることが多いものである。
【０００４】
【発明が解決しようとする課題】
ところが、スキーやスノーボードをするときには、手を防護するため及び防寒のために、厚手のいわゆるスキー用手袋を着用するのが普通である。
このような厚手のスキー用手袋では、ポケット開口部に取付けられたファスナーの引き手を掴むことが容易でない。そこで、スライダーの先端に、引き手を延長するような引張り用の紐やリングを取付けて、ファスナーを操作しやすくする工夫もされている。
【０００５】
しかし、このような補助具を取付けても、温度の低いスキー場においては手が自由に動かず、かつ手袋も厚手であるので、ファスナーを開口することは容易ではなかった。
そこで、本発明は、開口部にファスナーを取付けたポケットにおいて、ファスナーの開口を容易にしようとするものである。
【０００６】
【課題を解決するための手段】
請求項１の発明は、ポケットの開口部にファスナーを取付けるとともに、前記ファスナーを構成するスライダーに伸縮性を有する紐の一端を固定し、前記紐の他端は、ポケットの前記ファスナーを開口したときにスライダーが位置する側の近傍に固定したポケットとした。
【０００７】
【発明の実施の形態】
図１は、本発明にかかるポケットを実施したスキー用被服の正面図であり、図２及び図３は、ポケットの開口部分の拡大図であり、図４及び図５は、ポケットの開口部を開口する開口方法を示す説明図である。
【０００８】
図１のスキー用被服１においては、その左右にポケット２、３が取付けられている。
図面からわかるように、ポケット２、３の開口部には、ファスナー４が取付けられている。
なお、図１では、向かって右のポケット２はファスナー４が開いた状態を示しており、向かって左のポケット３はファスナー４が閉じた状態を示している。
【０００９】
図２及び図３は、ポケットの開口部の拡大図である。図２は、ファスナー４が閉じた状態を示しており、図３は、ファスナー４が開いた状態を示している。
ポケットの開口部にはファスナー４が取付けられるとともに、ファスナー４を構成するスライダー５には伸縮性を有する紐６の一端６１を固定している。
また、紐６の他端６２は、ポケットのファスナー４を開口したときにスライダー５が位置する側の近傍に固定する。
【００１０】
図４及び図５は、ポケットの開口部を開口する開口方法を示す説明図である。
まず、図４のように、両端６１、６２を固定した紐６とポケットの開口部との間に手を挿入する。
次に、紐６を手に引掛けて、手をファスナー４のスライダー５が開口する方向へ引張る。すると、スライダー５が開口する方向へ移動する。
【００１１】
紐６は、伸縮性を有しない素材を使用すれば、引張る力そのままがスライダー５に伝わるだけなので、スライダー５を移動させるのに非常に大きな力が要る。
本発明では、紐６を伸縮性を有する素材としたので、紐６を手に引掛けて手をスライダー５が開口する方向へ引張れば、伸びた伸縮素材が戻ろうとする力が働くので、紐６を引張った力以上に付勢した力がスライダー５に伝わり、より少ない力でスライダー５を移動させることができるものである。
【００１２】
ポケット開口部のファスナー４を閉じるときは、スライダー５の引き手を引張ればよい。
通常、ポケットの中の物を取り出すときは、急いで取り出す必要があることが多いが、ポケットに物を収納するときはそれほど急ぐこともないので、通常通り、スライダー５の引き手を引くことで十分対応できる。
【００１３】
紐６は伸縮性を有しているので、スライダー５を操作するのに邪魔になるようなことはない。
伸縮性を有する紐６の素材としては、いわゆるゴム紐のほか、ゴム、スパンデックスやウレタンエラストマーを編み込んだ紐等が使用できる。
【００１４】
図面では、紐６の他端６２を、ファスナー４を開口したときにスライダー５が位置する側のファスナー４端部に固定しているが、紐６の他端６２の固定位置はこれに限定されるものではない。
すなわち、本発明の効果を奏すれば、ポケットのファスナー４を開口したときにスライダー５が位置する側の近傍のどのような位置に固定してもよいのである。
【００１５】
図１では、ファスナー４のスライダー５を上に引き上げることにより開口する場合を示しているが、これをスライダー５を下に引き下げることによりポケットを開口する場合にも実施できることはもちろんである。
また、図１は、スキー用被服１に実施した例をであるが、ポケットを取付けることのできるものであれば、どのような被服あるいはバッグ等にも実施可能であり、ポケットの位置も図面に示した位置に限られるものでないことは、いうまでもないところである。
【００１６】
【発明の効果】
本発明のポケットであれば、温度の低いスキー場のように手の自由がきかず、また、スキー用手袋のような厚手の手袋をしていても、容易にポケット開口部のファスナー４のスライダー５を開口することができる。
【図面の簡単な説明】
【図１】本発明にかかるポケットをスキー用被服に実施した正面図である。
【図２】ポケットの開口部の拡大図である。
【図３】ポケットの開口部の拡大図である。
【図４】ポケットの開口部を開口する開口方法を示す説明図である。
【図５】ポケットの開口部を開口する開口方法を示す説明図である。
【符号の説明】
１    スキー用被服
２    ポケット
３    ポケット
４    ファスナー
５    スライダー
６    紐
６１  一端
６２  他端
【図１】
0004418574.tif 000002
【図２】
0004418574.tif 000003
【図３】
0004418574.tif 000004
【図４】
0004418574.tif 000005
【図５】
0004418574.tif 000006
(57)【特許請求の範囲】
【請求項１】
主減衰弁（８）とバイパス制御孔（５）とを備えた、自動車用のツインチューブ式のショックアブソーバのための底部弁であって、制御孔（５）に、リリーフ弁として作用する、プレロードをかけられたバイパス弁（１０）が対応配置されており、該バイパス弁（１０）の作用が、ショックアブソーバの外部から調整可能である形式のものにおいて、固定的に調整されたプレロードを有するバイパス弁（１０）の、制御孔（５）に対する調整高さが、ショックアブソーバの外部からアクセス可能な調整ねじ（１３）によって調整可能であることを特徴とする、自動車用のツインチューブ式のショックアブソーバのための底部弁。
【請求項２】
バイパス弁（１０）の軸部が、調整ねじ（１３）に設けられた収容孔内に移動可能に収容されている、請求項１記載の底部弁。
【請求項３】
バイパス弁のプレロードばね（１５）が一方では、制御孔（５）に対向して位置する弁ヘッドに支持され、他方では、ディスク（１１）に支持されており、該ディスクが弁軸部上に移動可能に設けられていて、プレロードばね（１５）によって、弁軸部に設けられたショルダに向かって保持されている、請求項２記載の底部弁。
【請求項４】
ショルダが、弁軸部にねじ嵌められたスライドスリーブ（１２）に形成されており、該スライドスリーブ（１２）を介して弁軸部が調整ねじ（１３）の収容孔内に支承されている、請求項３記載の底部弁。
【発明の詳細な説明】
【０００１】
本発明は、請求項１の上位概念に記載の形式の、自動車用のツインチューブ式のショックアブソーバのための底部弁に関する。
【０００２】
このような底部弁においては、オイル中に侵入するピストンにより押し退けられたオイル量によって、圧力減衰力が発生させられる。一般的にはこのことは、孔および／または類似の開口横断面と相俟って、ある程度のプレロードをかけられた弁、ディスクまたはディスクユニットによって生じる。
【０００３】
本発明の課題は、比較的高い減衰力のためにも、圧縮速度０ｍ／ｓと主減衰弁の開放点ＯＥとの間の減衰特性曲線を調節できるような特質を有する底部弁を提供することである。
このような課題は、請求項１の特徴部に記載されたような底部弁によって解決される。本発明の別の構成は請求項２以下に記載されている。
【０００４】
本発明による底部弁は、主力のための主減衰弁と、バイパス・制御孔とを有している。このバイパス・制御孔は、主減衰弁の開放前の減衰特性を規定する。このようなバイパス・制御孔には、リリーフ弁として作用する、プレロードをかけられたバイパス弁が対応配置されている。このようなバイパス弁を相応に位置決めし、かつ／または、このようなバイパス弁のためのプレロードばねを選択することによって、主減衰弁の開放までの所望の減衰特性曲線を達成することができる。固定的に調整されたプレロードを有するバイパス弁の、制御孔に対する調整高さが、ショックアブソーバの外部からアクセス可能な調整ねじによって調整可能であると有利である。
【０００５】
以下に本発明を添付の図面につきさらに詳しく説明する。
図１は、本発明による底部弁を示す横断面図である。
図２は、異なる状態に調整されたバイパス弁の減衰特性曲線を示す図である。
底部弁ケーシング１は、減衰のためのインナチューブ２の下端部内に収容されている。アウタチューブ３のうち一部だけが示されている。底部弁ケーシング１には中心に主減衰弁が設けられている。この主減衰弁は、ケーシング１内に固着された弁皿６と、ばね９でプレロードをかけられた弁体８とから成っている。この弁体８は、弁皿６の弁開口を閉じている。弁体８は支持体７上を移動可能である。この支持体７もばね９を符号１４で示した箇所で支持している。支持体７内には、バイパス制御孔５を備えたねじ４が設けられている。
【０００６】
この制御孔５には、バイバス弁１０が対応配置されている。このバイパス弁１０はばね１５によってプレロードをかけられている。バイパス弁１０の軸部は、ショックアブソーバの外部からアクセス可能な調整ねじ１３の収容孔内に設けられている。調整ねじは支持体７内にねじ込まれている。調整ねじ１３は一般的にシールブシュ１９とＯリング２０とによってアウタチューブ３に対してシールされている。
【０００７】
バイバス弁１０のプレロードばね１５は一方では、制御孔５に対向して位置する弁ヘッドと、他方では、ディスク１１とに支持されている。このディスクは弁軸部上に移動可能に設けられており、プレロードばね１５によって、弁軸部に設けられたショルダに保持されている。同時にディスク１１は、調整ねじ１３の端面側の端部に当接している。ショルダは弁軸部にねじ嵌められたスライドスリーブ１２によって形成されている。このスライドスリーブ１２を介して、弁軸部は調整ねじ１３の収容孔内に支承されている。
【０００８】
符号１８で逆止弁の弁ディスクが示されている。符号１６でこの弁ディスクのプレロードばねが示されている。このプレロードばねは保持ディスク１７に支持されている。この保持ディスクは底部弁ケーシング１に固定されている。
底部弁の機能は次の通りである：
主減衰弁８は弁皿６に向かってばね９によってプレロードをかけられている。圧縮速度が上昇すると、ねじ４の制御孔５を通って、主減衰弁を開放させる圧力が発生する。このような基本減衰特性曲線は、図２において実線で示されている。この場合符号ＯＥは主減衰弁の開放点を示している。
【０００９】
調整ねじ１３を介して、バイパス弁１０は制御孔５に対して変化させられる。これによりばね１５のプレロードによって生ぜしめられる減衰力を、種々異なる圧縮速度に対応させることができる。この力は、図２に示したように、圧縮速度０ｍ／ｓと主減衰弁の開放点ＯＥとの間でずらすことができる。主減衰弁もバイパス弁も一種のリリーフ弁として作用する。このことは力・速度ダイヤグラムにおいて漸減的な特性曲線をもたらす。このことは安全性およびカーブ・制動安定性を伴った走行快適性を可能にする。
【００１０】
プレロードばね１５の種々の強さを選択することによって、減衰特性にさらに影響を与えることができる。
【図面の簡単な説明】
【図１】本発明による底部弁を示す横断面図である。
【図２】異なる状態に調整されたバイパス弁の減衰特性曲線を示す図である。
【図１】
0004418593.tif 000002
【図２】
0004418593.tif 000003
(57)【特許請求の範囲】
【請求項１】
溶鋼に脱酸剤を添加した後に、脱酸剤を添加した後の溶鋼よりも溶存酸素濃度が高い他の溶鋼を添加することを特徴とする溶鋼中の酸化物微細分散方法。
【請求項２】
溶存酸素の供給量が脱酸剤を添加した溶鋼１トンあたりに１〜１０ｇであることを特徴とする請求項１記載の溶鋼中の酸化物微細分散方法。
【発明の詳細な説明】
【０００１】
【発明の属する技術分野】
本発明は、溶鋼中に微細な酸化物を多量に分散させて、脱酸生成物による欠陥を防止する方法に関するものである。
【０００２】
【従来の技術】
溶鋼中に微細酸化物を生成し、分散する方法としては、一般に酸素と親和性の強い脱酸金属または合金を溶鋼中に添加して、鋼中酸素と反応させ酸化物を生成することが行われている。また、予め脱酸元素または脱酸合金を溶鋼に添加し脱酸した溶鋼に、酸素を供給することで、鋼中の脱酸元素と酸素を反応させ酸化物を生成することも行われている。この場合の酸素の供給方法としては、例えば、特開平１０−１９３０４６号公報に開示されているような、固体酸素イオン伝導体を用い、電圧印可により酸素を供給する方法や酸化性ガスを吹き込む方法、および特開平８−２４６０２６号公報に開示されているような、酸化鉄を添加する方法、酸素含有量が１〜１０体積％の気体を吹き込む方法がある。
【０００３】
【発明が解決しようとする課題】
脱酸元素を溶鋼中に添加して溶鋼中に微細酸化物を生成する方法においては、添加した脱酸金属が完全に溶解するまでの間は、脱酸金属近傍の溶鋼中の脱酸元素の濃度と溶存酸素の濃度積は飽和溶解度積よりも大きくなっている。脱酸元素と酸素が過飽和な状態にあるとき、脱酸生成物は粗大になりやすい。この粗大な脱酸生成物は、欠陥の原因になり鋼製品の品質を低下させることになる等の問題がある。
【０００４】
一方、予め脱酸元素または脱酸合金を溶鋼に添加し脱酸した溶鋼に、酸素を供給することで、鋼中の脱酸元素と酸素を反応させ酸化物を生成する方法においては、次のような問題がある。固体酸素イオン伝導体を用い、電圧印加により酸素を供給する方法や酸化性ガスを吹き込む方法では、酸素供給速度が小さいため、多量の酸化物を溶鋼中に分散させることが困難である。すなわち、固体酸素イオン伝導体を用い電圧印加により酸素を供給する方法では、酸素の供給速度は、通電する電流に依存し、多量の酸化物を生成させるためには、多大な電流が必要であり、コスト的に不利になる。また、酸化性ガスを吹き込む方法でも、多量のガスが必要となり、コスト的に不利である。一方、酸化鉄を添加する方法では、添加した酸化鉄が完全に溶解するまでの間は、酸化鉄近傍の溶鋼中の酸素と脱酸の濃度は過飽和な状態にあり、製品欠陥の原因となる粗大な脱酸生成物が生成しやすいという問題がある。
【０００５】
本発明は、このような問題を有利に解決するためになされたものであり、溶鋼中に微細な酸化物を確実に生成して分散させ、鋼製品の品質を向上する溶鋼中の微細酸化物分散方法を提供することを目的とするものである。
【０００６】
【課題を解決するための手段】
本発明の特徴は、溶鋼に脱酸剤を添加した後に、脱酸剤を添加した後の溶鋼よりも溶存酸素濃度が高い他の溶鋼を添加する溶鋼中の酸化物微細分散方法であり、また、この方法において、溶存酸素の供給量が脱酸剤を添加した溶鋼１トンあたりに１〜１０ｇである溶鋼中の酸化物微細分散方法、である。
【０００７】
【発明の実施の形態】
溶鋼に脱酸剤を添加し、脱酸元素を溶解させた溶鋼に、低速度で酸素を供給することで、溶鋼中に、粗大な酸化物の生成を抑制しつつ、微細な酸化物を多量に分散させることができる。その際、脱酸剤を添加した溶鋼に、その溶鋼よりも溶存酸素濃度が高い溶鋼を添加することにより、低速度でかつ、電圧印加や酸化性ガス吹き込みに比べて多量の酸素を供給することが可能であるため、溶鋼中に、粗大な酸化物の生成を抑制しつつ、微細な酸化物を多量に分散させることができることを見い出した。
【０００８】
溶鋼に添加される脱酸剤としては、シリコン、マンガン、アルミニウム、チタン、カルシウム、マグネシウムあるいはこれらの脱酸元素を含む合金などが通常用いられる。
溶存酸素濃度が高い溶鋼を添加する時期は、脱酸元素を添加した後であれば、特に問わない。ただし、溶存酸素濃度が高い溶鋼を添加してから長時間保持していると生成した酸化物が溶鋼中を浮上し、数が減少する場合があるため、溶存酸素濃度が高い溶鋼を添加する時期は、鋳造を開始する直前が好ましい。
【０００９】
溶鋼中に微細な酸化物を多量に分散させるに際し、脱酸剤を添加した溶鋼に供給される溶存酸素の量は重要である。すなわち、脱酸剤を添加した溶鋼１トン当たりに１ｇ未満である場合には、生成する酸化物の量を十分多くすることができない。一方、１０ｇ超の場合には、粗大な酸化物が生成し、製品の品質を劣化させる。したがって、溶存酸素の供給量は脱酸剤を添加した溶鋼１トンあたりに１〜１０ｇとする。なお、ここで、脱酸剤を添加した溶鋼１トンあたりというのは、添加した脱酸剤も含めて溶鋼１トンあたりという意味である。
【００１０】
本発明の方法を実施するに当たり、脱酸溶鋼およびそれに添加する溶鋼中の溶存酸素濃度の測定は鉄鋼業で通常実施されている方法、すなわち、カルシア安定化ジルコニア固体電解質を用いたプローブを溶鋼に浸漬し起電力を測定する方法を用いる。この方法によって測定された溶存酸素濃度に応じて、溶存酸素の供給量が脱酸剤を添加した溶鋼１トンあたりに１〜１０ｇとなるように、溶存酸素濃度の高い溶鋼の添加量を調整する。
【００１１】
【実施例】
（実施例１）
転炉で吹錬し、出鋼中にフェロシリコン、フェロマンガンを添加し、さらに取鍋内でアルミ、チタン、マグネシウムを添加して脱酸した、質量％で、Ｃ：０．１〜０．３％、Ｓｉ：０．１〜０．３％、Ｍｎ：０．５〜１．５％、Ａｌ：０．００３〜０．００５％、Ｔｉ：０．００８〜０．０１５％、Ｍｇ：０．００１％、Ｆ．Ｏ：０．０００３％、残部Ｆｅおよび不可避的不純物元素を含有する取鍋内溶鋼に、溶存酸素Ｆ．Ｏが０．１％の未脱酸溶鋼を添加した。取鍋内溶鋼量は３００トンで未脱酸溶鋼の添加量を溶鋼１トンあたりの溶存酸素供給量が１〜１０ｇの範囲にある。比較例１は、酸素供給量が本発明の方法と同等になる量のＦｅ２Ｏ３を添加した場合である。比較例２は、酸素含有量が１０体積％のＡｒ−Ｏ２ガスを溶鋼中に吹き込んだ場合である。酸素供給終了から５分後に溶鋼より試料を採取し、その断面を光学顕微鏡で観察し、０．５μｍ以上の酸化物の個数をカウントした。表１に示すように、比較例１では、平均径が大きく個数も少なく、比較例２では、平均径がやや小さいものの個数が少ないのに対して、本発明の方法では、平均径が小さく、個数が多い。すなわち、微細な酸化物が多量に分散している。
【００１２】
【表１】
0004418118.tif 000002
【００１３】
【発明の効果】
本発明により、粗大な酸化物を生成させることなく、溶鋼中に微細な酸化物を多量に分散させることができ、鋼製品の欠陥を防止して製品の品質を向上させることが可能となった。
(57)【特許請求の範囲】
【請求項１】
支柱（Ａ）と支柱（Ｂ）を三角に組立固定して、補強材（Ｃ，Ｄ，Ｅ）を水平に支柱より左右外側に出して数段取り付けて固定し、下端にアンカー材（Ｆ，Ｇ，Ｈ，Ｉ）を取り付け固定した、庭木又は花の雪囲いに使う支柱。
【発明の詳細な説明】
【０００１】
【発明の属する技術分野】
この発明は、庭木、花等の冬囲い雪囲い等に使う、支柱に関するものである。
【０００２】
【従来の技術】
庭木、花等の雪囲い、冬囲いに使う支柱は、ねがまり竹、丸太、木材、加工された支柱等で、できた１本の棒状のものである。
【０００３】
【発明が解決しょうとする課題】
従来の冬囲い、雪囲いの支柱は、竹、木材、加工された支柱、丸太等を使っている、支柱の根元を充分に固定することや、支柱に縄、紐等を水平に数段縛るか、上からラセン状に縛ることなどは、経験とコツがないと雪害等にたえる様にできない、そして、近年高齢化と経験者の不足から、支柱の地面への固定とか縄等の縛りかたが不充分の為、雪どけの庭木等を見るといたいたしいのが、多いようにおもわれる。
【０００４】
【課題を解決するための手段】
本発明は、新しい支柱（図１）をつくることにり、作業時間を短縮して支柱の効果も期待でき、簡単に雪囲い、冬囲いができるようにしたものである、新しい支柱は、支柱（Ａ）と支柱（Ｂ）を三角に組立固定して、補強材（Ｃ、Ｄ、Ｅ）を水平に数段取り付け、下端にアンカー材（Ｆ、Ｇ、Ｈ、Ｉ）を取り付けた支柱である。
【０００５】
【発明の実施の形態】
以下、本発明の実施の形態に付いて説明する。
（１）支柱（Ａ）と支柱（Ｂ）を三角に組立して、図１の（１）のカ所を固定する、図１（１）の固定方法は、ボルト等で締める、縄、ハリガネ等で縛る、溶接でもよい。
（２）支柱を固定して、その上に補強材（Ｃ、Ｄ、Ｅ）を水平に数段固定する、図１（２）の固定方法は、ボルト等で締める、縄、ハリガネ等で縛る、溶接でもよい、又支柱との接点は支柱を貫通するか、のせる方法でもよい、但し補強材は、支柱よりとびだすようにする、そして、補強材の段数は支柱の大小により、段数の数をきめること。
（３）下部にアンカー材（Ｆ、Ｇ、Ｈ、Ｉ）を固定する、図１（３）の固定方法は、ボルト等で締める、縄、ハリガネ等で縛る溶接でもよい、爪（Ｇ、Ｈ、Ｉ）は、先をとがらせる爪の長さは、ＧとＨはおなじにする、ＩはＧとＨより長くする。
本発明は以上のような構造である、この支柱は組立方式でもできるので材料の限定はしない、又、鉄パイプやプラスチック等の材料で一体成形でもできる。
【０００６】
【発明の効果】
（１）支柱の根元の固定が簡単にできる。（図１のＦの所に足を乗せておすことで可能です。）
（２）支柱に縄、紐等を簡単に縛ることができる。（図１の（２）の所をつかい縄、紐等を縛ると簡単である。）
（３）冬囲い、雪囲い等の作業時間の短縮ができる。
（４）野菜の添え木としても利用できる。
【図面の簡単な説明】
【図１】本発明の正面図である。
【図２】本発明の支柱の使用例である。
【符号の説明】
（Ａ）  支柱
（Ｂ）  支柱
（Ｃ）  補強材
（Ｄ）  補強材
（Ｅ）  補強材
（Ｆ）  アンカー材
（Ｇ）  アンカー材及び爪
（Ｈ）  アンカー材及び爪
（Ｉ）  アンカー材及び爪
（１）  支柱と支柱の接点
（２）  支柱と補強材の接点
（３）  支柱とアンカー材の接点
【図１】
0004418978.tif 000002
【図２】
0004418978.tif 000003
(57)【特許請求の範囲】
【請求項１】
容器本体に被着される本体キャップと、本体キャップに着脱される計量キャップとを有し、本体キャップが備える液溜まり部の底部に注出筒を立上げるとともに、該底部に液溜まり部から容器本体に通じる液戻し部を備えてなるキャップ付容器であって、
計量キャップは注ぎ口先端部を本体キャップの液溜まり部に向けて挿入し、
計量キャップを本体キャップに装着した状態で互いに近接する、計量キャップの注ぎ口先端部に、該注ぎ口先端部の周方向に沿って連続する凹凸状段差部を備える液流動化部を設けてなるキャップ付容器。
【請求項２】
前記液流動化部が、計量キャップの注ぎ口先端部の端面を鋸歯状に切欠かれた凹凸状段差部を備え、その凸部が先細り状をなす請求項１に記載のキャップ付容器。
【請求項３】
前記液流動化部が、計量キャップの注ぎ口先端部の内周面を刻設した凹凸状段差部を備え、その凸部が先細り状をなす請求項１に記載のキャップ付容器。
【請求項４】
前記計量キャップは、外周中間部に連続する外筒部にねじ部を備え、
前記本体キャップは、外筒部と、外筒部の内周に連続する内筒部とを備え、該内筒部に前記液溜まり部を形成し、該外筒部の上端側外周に計量キャップのねじ部に螺着するねじ部を備える請求項１〜３のいずれかに記載のキャップ付容器。
【発明の詳細な説明】
【０００１】
【発明の属する技術分野】
本発明はキャップ付容器に関する。
【０００２】
【従来の技術】
洗剤等のためのキャップ付容器として、容器本体に被着される本体キャップと、本体キャップに螺着される計量キャップとを有し、本体キャップが備える液溜まり部の底部に注出筒を立上げるとともに、該底部に液戻し部を備えてなるものがある。
【０００３】
【発明が解決しようとする課題】
本体キャップの注出筒から注出される液体を計量キャップで計量した使用後、該計量キャップは内面に液体を付着させたまま本体キャップに螺着される。計量キャップの内面に付着した液体は、該計量キャップの内面に残留し続け、又は本体キャップの液溜まり部との境界部付近に残留する。このため、次回使用時に、計量キャップの内面や本体キャップの液溜まり部から液体の垂れ落ちを生じ、周辺汚損する。
【０００４】
本発明の課題は、計量キャップの内面や本体キャップの液溜まり部からの液体の垂れ落ちを回避することにある。
【０００５】
【課題を解決するための手段】
請求項１に記載の発明は、容器本体に被着される本体キャップと、本体キャップに着脱される計量キャップとを有し、本体キャップが備える液溜まり部の底部に注出筒を立上げるとともに、該底部に液溜まり部から容器本体に通じる液戻し部を備えてなるキャップ付容器であって、計量キャップは注ぎ口先端部を本体キャップの液溜まり部に向けて挿入し、計量キャップを本体キャップに装着した状態で互いに近接する、計量キャップの注ぎ口先端部に、該注ぎ口先端部の周方向に沿って連続する凹凸状段差部を備える液流動化部を設けてなるようにしたものである。
【０００６】
【発明の実施の形態】
（第１実施形態）
図１は、容器１０の容器本体１１の口部１２に、キャップ２０を装着したものであり、キャップ２０を本体キャップ２１と計量キャップ３１の組合せからなるものとした。
【０００７】
本体キャップ２１は、容器本体１１の口部１２に打ち込み又はねじ込み、或いは螺合し、係着される外筒部２２の上端側外周に計量キャップ３１のねじ部３１Ａが螺着するねじ部２１Ａを備えるとともに、外筒部２２の内周に連続する内筒部２３を備え、内筒部２３に液溜まり部２４を形成している。本体キャップ２１は、液溜まり部２４の傾斜状底部２５に設けた開口２６の縁に沿うＣ字断面状の注出筒２７を立上げ、注出筒２７のＣ字の切り口をスリット２７Ａとしている。２６Ａは、液溜まり部２４の底部２５の最下部に設けた、開口２６とスリット２７Ａに連なるスリットである。本体キャップ２１のスリット２６Ａ、２７Ａは、本発明の液戻し部を構成し、注出筒２７からの注出後に注出筒２７の縁から垂れ落ちて液溜まり部２４に受け止められた液体を容器本体１１に戻す通路を形成する。この液戻し部は、液溜まり部２４の底部２５の最下部に設けた孔であっても良い。
【０００８】
計量キャップ３１は、計量部３２の外周中間部に連続する外筒部３３に前述のねじ部３１Ａを備える。計量キャップ３１は、本体キャップ２１に螺着された状態で、本体キャップ２１の外筒部２２の上端内周部に設けられる外側シール部２２Ａに密着する外側シール部３４を外筒部３３に備えるとともに、本体キャップ２１の内筒部２３の下端内周部に設けられる内側シール部２３Ａに密着する内側シール部３５を計量部３２の注ぎ口先端部３６の外周面に備える。
【０００９】
計量キャップ３１は、図２に示す如く、本体キャップ２１に螺着された状態で該本体キャップ２１の内面に近接する、好適には摺接する注ぎ口先端部３６の先端面に、液流動化部３７を備える。液流動化部３７は、注ぎ口先端部３６の先端面を鋸歯状に切欠いた凹凸部（又は段差部）にて構成される。
【００１０】
計量キャップ３１は、本体キャップ２１から取外された状態で、本体キャップ２１の注出筒２７から供給される容器本体１１の内容液を受入れて計量し、その液体を注ぎ口先端部３６から注ぎ出す。
【００１１】
従って、本実施形態によれば、以下の作用がある。
使用後の計量キャップ３１を本体キャップ２１に螺着するように回転運動せしめるとき、計量キャップ３１の注ぎ口先端部３６に設けてある、凹凸状又は段差状の液流動化部３７が、計量キャップ３１の内面と本体キャップ２１の液溜まり部２４との境界部付近の残留液体（図１のＡ）に外力を付与してこれを流動化せしめる。これにより、押し出された液体は、計量キャップ３１の内面から本体キャップ２１の液溜まり部２４を流下し、ひいては該液溜まり部２４の底部のスリット２６Ａ、２７Ａ（液戻し部）から容器本体１１に戻され、次回使用時の垂れ落ちを回避できる。
【００１２】
（第２実施形態）
第２実施形態が第１実施形態と異なる点は、計量キャップ３１が、図３に示す如く、本体キャップ２１に螺着された状態で該本体キャップ２１の内面に近接する、好適には摺接する注ぎ口先端部３６の内周面に、液流動化部４１を備えたことにある。液流動化部４１は、注ぎ口先端部３６の内周面に刻設された凹凸部（又は段差部）にて構成される。
【００１４】
【発明の効果】
以上のように本発明によれば、計量キャップの内面や本体キャップの液溜まり部からの液体の垂れ落ちを回避できる。
【図面の簡単な説明】
【図１】図１は第１実施形態のキャップ付容器を示す断面図である。
【図２】図２は図１の計量キャップを示す模式図である。
【図３】図３は第２実施形態の計量キャップを示す模式図である。
【符号の説明】
１０  キャップ付容器
１１  容器本体
２０  キャップ
２１  本体キャップ
２４  液溜まり部
２５  底部
２６Ａ  スリット（液戻し部）
２７  注出筒
２７Ａ  スリット（液戻し部）
３１  計量キャップ
３６  注ぎ口先端部
３７、４１  液流動化部
【図１】
0004514070.tif 000002
【図２】
0004514070.tif 000003
【図３】
0004514070.tif 000004
(57)【特許請求の範囲】
【請求項１】
逆並列ダイオードを備えた第一及び第二のスイッチング素子と導電物より成る直列回路を直流電圧源の両端に、前記第一及び第二のスイッチング素子導通時に順方向に通電する極性に接続した半導体ユニット、前記導電物の両端部から取り出した電流波形の微分波形である電圧を入力とする積分器、該積分器の出力が所定値に達したことを検出する短絡検知器、該短絡検知器が短絡検知したときに前記第一及び第二のスイッチング素子のゲート信号を停止する機能のあるゲート制御装置を備えたことを特徴とする半導体制御装置。
【発明の詳細な説明】
【０００１】
【発明の属する技術分野】
本発明は、直列接続されたスイッチング素子が同時に導通することにより直流電圧源から短絡電流が流れたときの保護を安価な導電物と積分器を用いて実現する半導体制御装置に関わるものである。
【０００２】
【従来の技術】
インバータ等の半導体制御装置においては、一般に直流電圧源の短絡電流を検出するのに変流器を用いて電流検出を行っていた。以下、図４により従来技術の概要を説明する。
図４中、１は、直流電圧源、２及び３は逆並列ダイオードを備えたスイッチング素子であり、スイッチング素子としてはＩＧＢＴやＳＩサイリスタなどが用いられる。
４は交流出力端子、31は変流器である。スイッチング素子２、３、交流端子４、変流器31は基本インバータを示し、インバータが三相の場合は基本インバータ３組で構成される。
【０００３】
３２はスイッチング素子２、３用のゲート制御装置である。通常のインバータ動作においては、スイッチング素子２と３は同時に導通することがないように制御されるが、何らかの原因でスイッチング素子２と３が同時に導通すると直流電圧源１からスイッチング素子２、変流器31、スイッチング素子３を経て閉回路が構成され、短絡電流が流れる。
このような短絡電流はスイッチング素子２や３を破損させる可能性があるため、変流器31で電流を検出し、この電流値が所定値よりも大きいと短絡電流が流れているものと判断してスイッチング素子２及び３に対してゲートブロックを行い、素子破壊等を未然に防止するのが一般的な制御方法である。
【０００４】
【発明が解決しようとする課題】
しかしながら、変流器は一般に高価である。特に、上下二つの素子が導通し、直流電圧源が短絡状態になったときの過大な直流電流に対しても鉄心が飽和しないような変流器となると非常に高価になってしまうという課題があった。
本発明は、このような課題を解決するため導電物と積分器を用いて安価な電源短絡検知を実現するものである。
【０００５】
［課題を解決するための手段］その実現のために、本発明では、逆並列ダイオードを備えた第一及び第二のスイッチング素子と導電物より成る直列回路を直流電圧源の両端に、前記第一及び第二のスイッチング素子導通時に順方向に通電する極性に接続した半導体ユニット、前記導電物の両端部から取り出した電流波形の微分波形である電圧を入力とする積分器、該積分器の出力が所定値に達したことを検出する短絡検知器、該短絡検知器が短絡検知したときに前記第一及び第二のスイッチング素子のゲート信号を停止する機能のあるゲート制御装置を備えて構成する。
【０００６】
【発明の実施の形態】
以下、その詳細を図によって説明する。図１は、本発明を説明するための回路図であり、５は導電物、６は積分器、７は短絡検知器、８はゲート信号停止装置、９はスイッチング素子用のゲート制御装置である。なお、図４と同一部分には同一符号を付している。
この場合、基本インバータは、スイッチング素子２、３、交流出力端子４と導電物５から構成される。
【０００７】
図２は、本発明の動作を説明するための各部の電流波形等を示し、11は、スイッチング素子２、３が同時に導通状態になり直流電圧源１が短絡状態になったときに導電物に流入する電流波形、12は導電物の両端部間に発生する電圧波形である。
13は、導電物の両端部間に発生する電圧波形を入力とする積分器の出力波形である。
すなわち、導電物は必ずなにがしかのインダクタンスを有するため導電物の両端部から取り出した波形は電流波形11の微分波形となる。この電圧を入力とする積分器５の出力電圧は、電流波形11の微分波形を積分することになり、結局、電流波形11が復元されることになる。本発明のポイントはここにある。
【０００８】
以下、積分器６の出力が所定値に達すると短絡検知器７が出力を発生し、その結果、ゲート信号停止装置８に出力が与えられてゲートストップに至る部分は従来と同様である。
以上に述べたように、本発明によれば導電物の浮遊のインダクタンスを利用し、積分器と組み合わせることにより高価な変流器を用いることなく直流電圧源の短絡電流を復元することができる。
【０００９】
図1では、導電物を逆並列ダイオード２と３の間に挿入したが、接続位置としてはスイッチング素子２のコレクタ側でも、スイッチング素子３のエミッタ側でも良いことは言うまでもない。
導電物としては、銅製の板やアルミ製の板あるいは分流器等が用いられる。
【００１０】
図３は、本発明の他の実施例であり、交流をコンバータを介して直流電圧源に供給し、直流電圧源からインバータを介して交流を得る場合を示し、21は直流電圧源、22〜25はスイッチング素子、26、27は導電物、28はインバータである。
なお、導電物の出力が与えられるゲート制御装置は図示を省略したが、導電物26、２７の出力が、積分器、短絡検知器を介してゲート信号停止装置に与えられ、ゲートブロックに至る動作は図１の場合と同一である。
【００１１】
この場合においてスイッチング素子22と23が同時に導通した場合、直流電圧源21からスイッチング素子22と23を通じて短絡電流が流れるが、この場合にも本発明が適用されることは言うまでもない。
図３では単相のコンバータの場合を示したが、三相の場合にも適用できることは言うまでもない。
【００１２】
【発明の効果】
以上に述べたように、本発明では導電物の有する浮遊のインダクタンスを利用し、導電物の両端間に発生する電圧を積分器に入力することにより元の電流波形を復元することができ、短絡電流検出のために高価な変流器を用いる必要がなくなる。
【図面の簡単な説明】
【図１】本発明を説明するための回路図である。
【図２】本発明の各部電流波形等を示す説明図である。
【図３】本発明の他の実施例を示す回路図である。
【図４】従来の技術を説明するための回路図である。
【符号の説明】
１、２１            直流電圧源
２、３、２２〜２５  スイッチング素子
４                  交流出力端子
５、２６、２７      導電物
６                  積分器
７                  短絡検知器
８                  ゲート信号停止装置
９、３２            ゲート制御装置
11                  直流電圧源の短絡電流波形
12                  導電物両端電圧波形
13                  積分器出力波形
28                  インバータ
【図１】
0004514278.tif 000002
【図２】
0004514278.tif 000003
【図３】
0004514278.tif 000004
【図４】
0004514278.tif 000005
(57)【特許請求の範囲】
【請求項１】
左右の支柱部と、この左右の支柱部の上部に架け渡された手すりと、この左右の支柱部の下部に架け渡された下板とから成る本体部と、ベッドのサイドフレームに上方から着脱自在に被着されるアタッチメントとを有し、このアタッチメントの背板に開孔されたタテ長の長孔にボルトを通し、このボルトを前記下板に開孔されたボルト孔に挿着することにより、アタッチメントを前記本体部の前面下部に着脱自在に取り付け、また前記ボルト孔の下部にその先端部が前記サイドフレームの側面に当接して前記本体部のふらつきを防止する当接部材を突設し、かつ前記下板の下部にその先端部が前記サイドフレームの下面に当接する連結板を装着したことを特徴とするベッドの手すり装置。
【発明の詳細な説明】
【０００１】
【発明の属する技術分野】
本発明は、病人や身障者等のためにベッドに装着されるベッドの手すり装置に関するものである。
【０００２】
【従来の技術】
病人や身障者等のためにベッドに手すりを装着することが知られている。この種従来の手すりは、ベッドのサイドフレームなどの一定位置に取り付けるようになっていた。
【０００３】
【発明が解決しようとする課題】
従来の手すりは、ベッドのサイドフレームなどの一定位置に取り付けるようになっていたため、病人や身障者の希望に応じてその取付け位置を自由に変更することはできないものであった。また強度的にも十分ではないため、病人や身障者が手すりに手をかけると、ふらついたり変形したりしやすく、安定性に欠けるものであり、更にはベッドにも大きな負荷がかかるため、ベッド自体が変形したり破損したりしやすいものであった。
【０００４】
したがって本発明は、使用勝手がよく、また十分な強度を期待できるベッドの手すり装置を提供することを目的とする。
【０００５】
【課題を解決するための手段】
本発明のベッドの手すり装置は、左右の支柱部と、この左右の支柱部の上部に架け渡された手すりと、この左右の支柱部の下部に架け渡された下板とから成る本体部と、ベッドのサイドフレームに上方から着脱自在に被着されるアタッチメントとを有し、このアタッチメントの背板に開孔されたタテ長の長孔にボルトを通し、このボルトを前記下板に開孔されたボルト孔に挿着することにより、アタッチメントを前記本体部の前面下部に着脱自在に取り付け、また前記ボルト孔の下部にその先端部が前記サイドフレームの側面に当接して前記本体部のふらつきを防止する当接部材を突設し、かつ前記下板の下部にその先端部が前記サイドフレームの下面に当接する連結板を装着したものである。
【０００７】
上記構成のベッド装置は、アタッチメントの取り付け高さを変更することにより、既存の様々なベッドに適用できる。また支柱部を備えることにより、十分な強度が得られる。
【０００８】
【発明の実施の形態】
以下、本発明の実施の形態を図面を参照しながら説明する。図１はベッドの手すり装置の分解斜視図、図２は同背面図、図３は同側面図、図４は同平面図である。
【０００９】
図１において、１０は手すり装置の主体となる木製の本体部であり、左右の支柱部１１と、支柱部１１の上部に架け渡された棒状の手すり１２、中央部に架け渡された中板１３と、下部に架け渡された下板１４から成っている。下板１４の前面両側部には、複数のボルト孔１５が開孔されている。またボルト孔１５の下部には、ボルト形の当接部材１６が左右２個突設されている。また下板１４の下部中央には連結板１７が装着されている。連結板１７の側縁には切欠部１８が形成されている。図３に示すように、連結板１７の先端部はサイドフレーム２の下面に当接する。
【００１０】
２０は金属板から成るアタッチメントであり、左右２個備えられている。アタッチメント２０はカギ型形状であって、ベッドのサイドフレームに上方から着脱自在に被着される。アタッチメント２０の背板にはタテ長の長孔２１が左右２個開孔されている。アタッチメント２０は、長孔２１にボルト２２を通し、ボルト２２をボルト孔１５に挿着することにより、本体部１０の前面下部に着脱自在に取り付けられる。またタテ長の長孔２１を有するので、ベッドのサイドフレームの高さに応じて、アタッチメント２０の高さを調整自在となっている。
【００１１】
３０は支柱部であって、台板３１上に支柱３２を立設して成っている。支柱３２は下柱３２２と上柱３２１から成っている。下柱３２２の側部には止めねじ３３が螺着されている。止めねじ３３を緩めることにより、上柱３２１の下柱３２２からの引き出し長さ、すなわち支柱３２の高さを調整自在となっている。上柱３２１の上端にはねじ棒３４が突設されている。このねじ棒３４を連結板１７の切欠部１８に嵌入し、ナット３５を螺着することにより、支柱３２は本体部１０に着脱自在に連結される。
【００１２】
図２〜図４に示すように、アタッチメント２０をベッド１のサイドフレーム２に上方から被着することにより、この手すり装置はベッド１に装着される。また本体部１０は支柱部３０により下方から支持される。また図３に示すように、当接部材１６の先端部はベッド１のサイドフレーム２の側面に当接し、本体部１０のふらつきを阻止する。また望ましくは、ベッド１に補強用の横材４０を架設する。４１は横材４０をベッド１のサイドフレーム間に着脱自在に固定するための止具である。
【００１３】
この手すり装置をベッド１に取り付けた状態で、本体部１０はベッド１の側部に起立しており、病人や身障者は手すり１２を保持してベッド１から起伏したり、あるいはベッド１の横を歩行する。この場合、手すり装置やベッド１には大きな負荷がかかるが、この負荷は支柱部３０や横材４０によりしっかり支持されるので、手すり１２がふらつくことはなく、また手すり装置やベッドが変形したり、破損したりすることもない。
【００１４】
【発明の効果】
以上説明したように本発明によれば、使用勝手がよく、また十分な強度を期待できるベッドの手すり装置を実現できる。
【図面の簡単な説明】
【図１】ベッドの手すり装置の分解斜視図
【図２】ベッドの手すり装置の背面図
【図３】ベッドの手すり装置の側面図
【図４】ベッドの手すり装置の平面図
【符号の説明】
１  ベッド
２  サイドフレーム
１０  本体部
１２  手すり
２０  アタッチメント
３０  支柱部
【図１】
0004514314.tif 000002
【図２】
0004514314.tif 000003
【図３】
0004514314.tif 000004
【図４】
0004514314.tif 000005